(57)【要約】【課題】上階屋根からの排水を下階屋根上を這わせる這い樋にて下階屋根の軒樋に搬送させることによる問題点を解決することができる屋根の雨水排水構造を提供する。【解決手段】上階屋根Ｕから垂下される竪樋１の下端部１０を下階屋根Ｌの上部に配設し、前記竪樋１の下端部１０に上方に開口して前記竪樋１の下端部１０から排出される雨水を受けるとともに充満した雨水を前記開口縁２０より溢れ出させて下階屋根Ｌ上に排出する受け樋２を設けた屋根の雨水排水構造であって、受け樋２の開口縁２０の長さを竪樋１の径よりも長く形成した。【選択図】図１
2008156953.tif 000002
【特許請求の範囲】
【請求項１】
上階屋根から垂下される竪樋の下端部を下階屋根の上部に配設し、前記竪樋の下端部に上方に開口して前記竪樋の下端部から排出される雨水を受けるとともに充満した雨水を前記開口縁より溢れ出させて下階屋根上に排出する受け樋を設けた屋根の雨水排水構造であって、受け樋の開口縁の長さを竪樋の径よりも長く形成して成ることを特徴とする屋根の雨水排水構造。
【請求項２】
受け樋の前記竪樋の下端部が接続される部分を筒状に形成して成ることを特徴とする請求項１記載の屋根の雨水排水構造。
【請求項３】
受け樋の開口縁を有する部分の長さを伸縮可能として成ることを特徴とする請求項１又は２記載の屋根の雨水排水構造。
【発明の詳細な説明】
【技術分野】
【０００１】
本発明は、上階屋根から垂下される竪樋の下端部より排出される雨水を下階屋根上に流す屋根の雨水排水構造に関するものである。
【背景技術】
【０００２】
従来より、図７（ａ）に示すように、上階屋根Ｕの軒樋３１にて集水された雨水は、前記軒樋３１から下方に向けて接続される竪樋１にて下階屋根Ｌの上部に搬送されるとともに、下階屋根Ｌ上を這わせる這い樋９にて下階屋根Ｌの下部側となる軒先側に搬送され、下階屋根Ｌの軒樋３２にて集水されて該軒樋３２から下方に向けて接続される竪樋１９にて下方に搬送されて排水される（例えば特許文献１参照）。
【０００３】
このような従来の屋根の雨水排水構造にあっては、這い樋９を下階屋根Ｌに強固に固定しなければ、強風によって飛散してしまい、また、下階屋根Ｌ上に這わせるため太陽光（特に紫外線）の直射を受けて激しく変色褪色してしまい、また、下階屋根Ｌの上部から下部に亘って這わせるため外観上も見栄えが悪くなってしまう、という問題があるものであった。
【０００４】
そこで、図７（ｂ）に示すように、這い樋９を設けないで竪樋１の下端部１０から排水を直接下階屋根Ｌ上に流すことが考えられるが、この場合、竪樋１の下端部１０から排出された雨水が下階屋根Ｌを伝ってその軒樋３２の一か所または狭い範囲に集中して流入することとなり、集中して流入した雨水が下階屋根Ｌの軒樋３２から飛び散ってしまう惧れがあった。
【特許文献１】特開２００３−３６２６号公報
【発明の開示】
【発明が解決しようとする課題】
【０００５】
本発明は上記の点に鑑みてなされたものであり、その目的とするところは、上階屋根からの排水を竪樋の下端部から下階屋根を介して下階屋根の軒樋に流すにあたり、下階屋根上を這わせる這い樋を用いず、更にこの時に下階屋根の軒樋から雨水が飛び散ってしまう惧れのない屋根の雨水排水構造を提供することを課題とするものである。
【課題を解決するための手段】
【０００６】
上記課題を解決するために請求項１に係る発明にあっては、上階屋根Ｕから垂下される竪樋１の下端部１０を下階屋根Ｌの上部に配設し、前記竪樋１の下端部１０に上方に開口して前記竪樋１の下端部１０から排出される雨水を受けるとともに充満した雨水を前記開口縁２０より溢れ出させて下階屋根Ｌ上に排出する受け樋２を設けた屋根の雨水排水構造であって、受け樋２の開口縁２０の長さを竪樋１の径よりも長く形成して成ることを特徴とするものである。
【０００７】
このような構成とすることで、直接下階屋根Ｌ上に流した雨水が下階屋根Ｌを伝ってその軒樋３２の狭い範囲に集中して流入して、飛沫が軒樋３２から飛び散ってしまうといったことがないものである。
【０００８】
また、請求項２に係る発明にあっては、請求項１に係る発明において、受け樋２の前記竪樋１の下端部１０が接続される部分を筒状に形成して成ることを特徴とするものである。
【０００９】
このような構成とすることで、下階屋根Ｌの下端部１０から受け樋２に雨水が流入した際に、跳ねた飛沫が受け樋２から飛び散るのを阻止して見苦しくなくすることができる。
【００１０】
また、請求項３に係る発明にあっては、請求項１又は２に係る発明において、受け樋２の開口縁２０を有する部分の長さを伸縮可能として成ることを特徴とするものである。
【００１１】
このような構成とすることで、屋根の長さに合わせて開口縁２０の長さを調節することができる。
【発明の効果】
【００１２】
本発明にあっては、這い樋を用いないため、這い樋が飛散しないように強固に固定したり、下階屋根上に這わせた這い樋が太陽光によって変色褪色してしまったり、下階屋根上に這わせて見栄えが悪くなってしまう、といったことがないのは勿論のこと、直接下階屋根上に流した雨水が下階屋根を伝ってその軒樋の狭い範囲に集中して流入して、飛沫が軒樋から飛び散ってしまうといったことがないものである。
【発明を実施するための最良の形態】
【００１３】
以下、本発明を添付図面に示す実施形態に基いて説明する。
【００１４】
上階屋根Ｕ上に降り注いだ雨水は、上階屋根Ｕの軒樋３１に流入して集水され、この軒樋３１から下方に向けて接続してある竪樋１によって下方に搬送される。竪樋１の下端部１０は、下階屋根Ｌの上部に配置してあり、この竪樋１の下端部１０から本発明の受け樋２を介して下階屋根Ｌ上に排出され、下階屋根Ｌを流下して下階屋根Ｌの軒樋３２に流入して集水され、下階屋根Ｌの軒樋３２から下方に向けて接続してある竪樋１にて下方に搬送されて排水される。
【００１５】
そして本発明では、竪樋１の下端部１０から排出される受け樋２を配設してある。受け樋２は、図１に示すように、上方に開口する断面半円弧状をしたもので、下階屋根Ｌの上部に配設される長尺のものである。通常は、下階屋根Ｌの上端部の全長または一部に沿って配設される。受け樋２の上方への開口上に竪樋１の下端部１０が配設され、竪樋１の下端部１０から排出される雨水が開口より受け樋２内に流入する。
【００１６】
この受け樋２は、樋内に貯留される雨水が容量一杯に充満すると、開口縁２０から溢れ出て、下階屋根Ｌ上に流れ出す。この時、下階屋根Ｌの狭い範囲（幅方向の狭い範囲）を雨水が集中して流れると、下階屋根Ｌの軒樋３２の狭い範囲に集中して流入して軒樋３２から飛び出す惧れがあるため、少なくとも受け樋２の開口縁２０の長さを竪樋１の径よりも長く形成して、受け樋２から溢れ出す雨水が下階屋根Ｌの幅方向に竪樋１の下端部１０からそのまま排出する場合よりも広範囲に亘って流下するようにするものである。
【００１７】
受け樋２の固定は、図２に示すように、受け樋２を支持する断面弧状の支持片４１と、支持片４１から連設されて建物躯体側に固定される固定片４２と、からなる固定部材４によって固定される。固定片４２の建物躯体への固定は、固定片４２に穿孔した固着孔４３を介してビスや釘等の固着具（図示せず）により固着する。
【００１８】
受け樋２は上述したように下階屋根Ｌの上端部に沿った長尺のもので、その長手方向の全長に亘る開口縁２０から雨水が溢れ出す。受け樋２の開口縁２０は、軒先側を若干下方に下げて傾けた状態としておく。軒先側と反対側（すなわち下階屋根Ｌの高い側）を下方に下げて傾けた状態では、この部分から雨水が溢れ出して下階屋根Ｌを長い距離流下することとなり、これに対して軒先側を若干下方に下げて傾けた状態では前記流下経路の途中から流下していくこととなり、流下する距離が短く済んで雨水による下階屋根Ｌの劣化等を若干抑えることができる。
【００１９】
以上のように、本発明においては、這い樋９を用いないため、這い樋９が飛散しないように強固に固定したり、下階屋根Ｌ上に這わせた這い樋９が太陽光によって変色褪色してしまったり、下階屋根Ｌ上に這わせて見栄えが悪くなってしまう、といったことがないのは勿論のこと、直接下階屋根Ｌ上に流した雨水が下階屋根Ｌを伝ってその軒樋３２の狭い範囲に集中して流入して、飛沫が軒樋３２から飛び散ってしまうといったことがないものである。
【００２０】
また、図３に示す他例として、受け樋２の竪樋１の下端部１０が配設される部分の開口縁２０ａを他の部分よりも上方に位置するようにしてもよい。これにより、下階屋根Ｌの下端部１０から受け樋２に雨水が落下した際に、跳ねた飛沫が受け樋２から飛び散るのを抑えて、見苦しくなくなるものである。
【００２１】
また、図４に示す更に他例として、受け樋２の長手方向の一部を筒状部２１として、この筒状部２１に形成した部分に竪樋１の下端部１０を接続してもよい。これにより、下階屋根Ｌの下端部１０から受け樋２に雨水が流入した際に、跳ねた飛沫が受け樋２から飛び散るのを阻止して、見苦しくなくなるものである。
【００２２】
次に、更に他例について図５に基づいて説明する。本例では、受け樋２の開口縁２０を有する部分の長さを伸縮可能とするものである。これは図５に示すように、受け樋２の長手方向の一部となる筒状部２１に竪樋１の下端部１０を接続し、前記筒状部２１に対して、上方に開口する断面半円弧状をした樋部２２を伸縮自在に収納するものである。筒状部２１の竪樋１の下端部１０が接続される部分には、図６に示すように、内部が筒状部２１内に連通して上方に突出する接続筒部２３を突設してあり、この接続筒部２３に竪樋１の下端部１０を被嵌して取り付ける。筒状部２１の長さおよび樋部２２の長さは、幾通りかを用意して、屋根の長さに合わせて選択するとともに樋部２２の筒状部２１からの突出長さを屋根の長さに合わせて調節し、開口縁２０の長さを屋根の長さに合わせて出来るだけ長くすることができる。
【図面の簡単な説明】
【００２３】
【図１】本発明の一実施形態の要部を示し、（ａ）は斜視図であり、（ｂ）は断面図である。
【図２】本発明の固定部材を示し、（ａ）は斜視図であり、（ｂ）は断面図である。
【図３】本発明の受け樋の他例の斜視図である。
【図４】本発明の受け樋の更に他例の斜視図である。
【図５】本発明の受け樋の更に他例の斜視図である。
【図６】同上のおける受け樋と竪樋の取り付けを説明する説明図である。
【図７】（ａ）（ｂ）はそれぞれ従来例の全体概略斜視図である。
【符号の説明】
【００２４】
１    竪樋
１０  下端部
１９  竪樋
２    受け樋
２０  開口縁
２１  筒状部
２２  樋部
３１  軒樋
３２  軒樋
４    固定部材
４１  支持片
４２  固定片
４３  固着孔
９    這い樋
Ｕ    上階屋根
Ｌ    下階屋根
【図１】
2008156953.tif 000003
【図２】
2008156953.tif 000004
【図３】
2008156953.tif 000005
【図４】
2008156953.tif 000006
【図５】
2008156953.tif 000007
【図６】
2008156953.tif 000008
【図７】
2008156953.tif 000009